(57)【要約】      （修正有）【課題】端子台のネジの頭部を上部方向から確実に挟み込み、脱落しにくくすることができる接続用クリップを提供する。【解決手段】対向方向に開閉自在に配設された第一、第二クリップ体２、３と、両クリップ体２、３の開閉側を閉方向に付勢する付勢部４とを備え、両クリップ体２、３の開閉側の第一、第二開閉部２０、３０は、半円柱側面形状にてそれぞれ形成され、第一、第二開口部２１、３１、第一、第二下端円弧部２２、３２、第一、第二上端円弧部２３、３３、第一、第二右側面部３４および第一、第二左側面部２５がそれぞれ形成され、閉時には、第一、第二下端円弧部２２、３２の内側が、ネジ１０の頭部１０ａの下部の周囲を取り囲むように挟み、第一、第二右側面部３４の内側および第一、第二左側面部２５の内側が、ネジ１０の頭部１０ａの側面に当接する。【選択図】図３
0003190015.tif 000002
【実用新案登録請求の範囲】
【請求項１】
ネジに取り付けられる接続用クリップであって、
対向方向に開閉自在に配設された２つのクリップ体と、
２つの前記クリップ体の開閉側を閉方向に付勢する付勢部とを備え、
２つの前記クリップ体の開閉側の開閉部は、半円柱側面形状にてそれぞれ形成され、
前記開閉部には開口部が形成され、下端円弧部、上端円弧部、前記下端円弧部および前記上端円弧部を接続する右側面部および左側面部がそれぞれ形成され、
閉時には、前記下端円弧部の内側が、前記ネジの頭部の下部の周囲を取り囲むように挟み、
前記右側面部の内側または前記左側面部の内側の少なくともいずれか一方が、前記ネジの頭部の側面に当接する接続用クリップ。
【請求項２】
前記右側面部または前記左側面部の少なくともいずれか一方には、外側に突出する補強部が形成されている請求項１に記載の接続用クリップ。
【考案の詳細な説明】
【技術分野】
【０００１】
この考案は、ネジの大きさおよび形状にかかわらず、ネジを上部方向から確実に挟み込み、脱落しにくくすることができる接続用クリップに関するものである。
【背景技術】
【０００２】
従来のクリップは、ネジに取り付けられるクリップであって、対向する２つのクリップ部材が、対向方向に開閉自在に配設され、前記クリップ部材の開閉端側を閉方向に付勢する付勢手段を備え、前記クリップ部材の開閉端側に、閉じた状態でネジの頭部の下面下に位置する係止部が設けられているものである（例えば、特許文献１参照）。
【０００３】
また、他の従来の接続用クリップは、配電盤の電線を電気的に接続するために用いる試験用接続端子であって、略弓形状の把持部の途中に形成した支点部で、該把持部の一端に形成した略円弧形状の噛合部が、配電盤端子のネジ棒を挟むように、合対向して連結した一対の端子本体と、前記把持部に電気的に接続したリード線とからなり、前記噛合部の各開閉端が、前記把持部の長手方向とする中心線から一方へずれるように、各噛合部の大きさが異なるように構成したものである（例えば、特許文献２参照）。
【先行技術文献】
【特許文献】
【０００４】
【特許文献１】特開２０１０−９９４１号公報
【特許文献２】特開２００９−１７６６６２号公報
【考案の概要】
【考案が解決しようとする課題】
【０００５】
特許文献１に記載の従来のクリップでは、ネジの頭部を取り囲むととともにネジの頭部の下端を挟持しているため、脱落を防止するためには挟持する部分が少ないという問題点があった。
【０００６】
また、特許文献２に記載の従来の接続用クリップでは、ネジを側面から挟むことができないような箇所に適応することができないとういう問題点があった。
【０００７】
この考案は上記のような課題を解決するためになされたものであり、ネジの頭部の大きさおよび形状にかかわらず、ネジを上部方向から確実に挟み込み、脱落を防止することができる接続用クリップを提供することを目的とする。
【課題を解決するための手段】
【０００８】
この考案は、ネジに取り付けられる接続用クリップであって、
対向方向に開閉自在に配設された２つのクリップ体と、
２つの前記クリップ体の開閉側を閉方向に付勢する付勢部とを備え、
２つの前記クリップ体の開閉側の開閉部は、半円柱側面形状にてそれぞれ形成され、
前記開閉部には開口部が形成され、下端円弧部、上端円弧部、前記下端円弧部および前記上端円弧部を接続する右側面部および左側面部がそれぞれ形成され、
閉時には、前記下端円弧部の内側が、前記ネジの頭部の下部の周囲を取り囲むように挟み、
前記右側面部の内側または前記左側面部の内側の少なくともいずれか一方が、前記ネジの頭部の側面に当接するものである。
【考案の効果】
【０００９】
この考案の接続用クリップは、上記のように構成されているため、
ネジの大きさおよび形状にかかわらず、ネジを上部方向から確実に挟み込み、脱落を防止することができる。
【図面の簡単な説明】
【００１０】
【図１】この考案の実施の形態１の接続用クリップの構成を示す斜視図である。
【図２】図１に示した接続用クリップの構成を示す正面図である。
【図３】図１に示した接続用クリップの使用方法を説明するための図である。
【図４】図１に示した接続用クリップと従来の鰐口クリップと使用方法の差を説明するための正面図である。
【図５】図１に示した接続用クリップと従来の鰐口クリップと使用方法の差を説明するための正面図である。
【図６】図１に示した接続用クリップの製造方法を示す図である。
【考案を実施するための形態】
【００１１】
実施の形態１．
以下、本願考案の実施の形態について説明する。図１はこの考案の実施の形態１の接続用クリップの構成を示す斜視図である。図２は図１に示した接続用クリップの構成を示す正面図である。図３は図１に示した接続用クリップの使用方法を説明するための図である。図４および図５は図１に示した接続用クリップと従来の鰐口クリップと使用方法の差を説明するための正面図である。図６は図１に示した接続用クリップの製造方法を示す図である。
【００１２】
図において、本考案における接続用クリップ１とは、ネジ１０の頭部１０ａの上部方向から取り付けるものである。接続用クリップ１は対向方向に開閉自在に配設された２つの第一クリップ体２、第二クリップ体３と、第一クリップ体２および第二クリップ体３の開閉側を閉方向に付勢する付勢部４とを備えている。この付勢部４は、捩りコイルバネにて形成されている。尚、付勢部４は他の構成にて形成されていても、第一クリップ体２および第二クリップ体３の開閉側を閉方向に付勢することができるものであればよい。
【００１３】
また、第一クリップ体２および第二クリップ体３の開閉側の第一開閉部２０および第二開閉部３０は、半円柱側面形状にてそれぞれ形成されている。尚、半円柱側面形状とは、厳密に半円柱側面である必要はなく、半円柱側面より小さくなる場合も考えられる。そして、第一開閉部２０および第二開閉部３０には、第一開口部２１および第二開口部３１がその半円柱側面形状の中央位置に形成されている。
【００１４】
第一開閉部２０に第一開口部２１が形成されることにより、第一下端円弧部２２、第一上端円弧部２３、第一下端円弧部２２および第一上端円弧部２３を接続する第一右側面部２４および第一左側面部２５がそれぞれ形成される。第二開閉部３０も同様に、第二開口部３１が形成されることにより、第二下端円弧部３２、第二上端円弧部３３、第二下端円弧部３２および第二上端円弧部３３を接続する第二右側面部３４および第二左側面部３５がそれぞれ形成される。そして、第一上端円弧部２３と第一クリップ体２の本体とは、第一連結部５にて連結されている。また、第二上端円弧部３３と第二クリップ体３の本体とは、第二連結部６にて連結されている。
【００１５】
尚、第一開口部２１および第二開口部３１は、半円柱側面形状の中央位置より若干ずれたとしても、第一開口部２１および第二開口部３１により形成される、第一下端円弧部２２、第一上端円弧部２３、第一右側面部２４、第一左側面部２５、第二下端円弧部３２、第二上端円弧部３３、第二右側面部３４および第二左側面部３５がそれぞれ形成されればよい。そして、第一右側面部２４および第一左側面部２５には、外側に突出する第一右補強部２６および第一左補強部２７がそれぞれ形成されている。また、第二右側面部３４および第二左側面部３５にも同様に、外側に突出する第二右補強部３６および第二左補強部３７がそれぞれ形成されている。
【００１６】
そして、接続用クリップ１をネジ１０に取り付け、接続用クリップ１の閉時には、第一下端円弧部２２および第二下端円弧部３２の内側が、ネジ１０の頭部１０ａの下部１０ｂの周囲を取り囲むように挟む。さらに、第一右側面部２４および第二右側面部３４の内側および第一左側面部２５および第二左側面部３５の内側は、ネジ１０の頭部１０ａの側面に当接する。
【００１７】
次に、上記のように構成された実施の形態１の接続用クリップの第一開閉部２０および第一連結部５の製造方法について説明する。尚、第二開閉部３０および第二連結部６においては、同様の製造方法にて行うことができるため、その説明は適宜省略する。まず、図６（ａ）に示すように、平板を打ち抜くとともに、折り曲げ線（破線にて示す）を入れて形成する。次に、第一開閉部２０を半円柱側面形状となるように湾曲させる。次に、第一連結部５を内周側に折り曲げる。次に、第一右補強部２６および第一左補強部２７を外側に突出するように折り曲げ、図６（ｂ）に示されるように形成される。
【００１８】
次に、第一クリップ体２の本体と第一連結部５とを例えば溶接により接合する。また、第二開閉部３０および第二連結部６も同様に形成して接合する。そして、接続用クリップ１が形成される。尚、ここでは、第一開閉部２０と第一連結部５とは同時に作成する例を示したが、これに限られることはなく、第一連結部５は別にて作成し、後に溶接などにより接続する例も考えられる。このように、第一開閉部２０および第二開閉部３０は、平板を打ち抜くことにより、容易に作成することが可能である。
【００１９】
次に上記のように構成された実施の形態１の接続用クリップの使用方法について説明する。この接続用クリップ１を使用する用途としては、図３（ａ）に示すように、端子台１００に形成されている複数のネジ１０に接続することが考えられる。図３（ｂ）に図３（ａ）の黒丸にて示した１つのネジ１０の側面図を示す。ネジ１０は、頭部１０ａ、および頭部１０ａの下部１０ｂが、端子台１００の上面側に露出している。そして、ネジ１０を上方側から接続用クリップ１にて挟む。すると、図３（ｃ）に示すように、第一下端円弧部２２および第二下端円弧部３２の内側が、ネジ１０の頭部１０ａの下部１０ｂの周囲を取り囲むように挟む。さらに、第一右側面部２４および第二右側面部３４の内側および第一左側面部２５および第二左側面部３５の内側は、ネジ１０の頭部１０ａの側面に当接する。そして、第一開口部２１および第二開口部３１からは、ネジ１０の頭部１０ａが露出している。
【００２０】
従来の鰐口クリップ２００と、本願の接続用クリップ１についての差について説明する。図４（ａ）に示すように、従来の鰐口クリップ２００によれば、ネジ１０の頭部１０ａの一部と接触するのみとなるため、ネジ１０と鰐口クリップ２００との接続が脱落する可能性がある。これに対し、図４（ｂ）に示すように、本願の接続用クリップ１によれば、ネジ１０の頭部１０ａの下部１０ｂの周囲を取り囲むように挟み込み、さらに、ネジ１０の頭部１０ａの側面に当接するため、ネジ１０と接続用クリップ１との接続が容易に脱落することが防止できる。
【００２１】
また、このことはネジ１０の形状が変わった場合おいても有効である。図４に示したネジ１０は、一般的に、ナベネジと称されているものである。これに変えて、一般的に、チーズネジと称されているネジ１１に使用する場合について図５に基づいて示す。図５（ａ）に示すように、従来の鰐口クリップ２００によれば、ネジ１１の頭部１１ａの一部と接触するのみとなるため、ネジ１１と鰐口クリップ２００との接続が脱落する可能性がある。これに対し、図５（ｂ）に示すように、本願の接続用クリップ１によれば、ネジ１１頭部１１ａの下部１１ｂを囲むように挟み込み、さらに、ネジ１１の頭部１１ａの側面に当接するため、ネジ１１と接続用クリップ１との接続が容易に脱落することが防止できる。これは、形状または大きさが異なるネジ１０、１１であってもこのように対応することができるのは、第一開閉部２０および第二開閉部３０に第一開口部２１および第二開口部３１がそれぞれ形成され、これら第一開口部２１および第二開口部３１からネジ１０、１１の頭部１０ａ、１１ａが露出できるように形成されているためである。
【００２２】
上記のように構成された実施の形態１の接続用クリップは、下端円弧部の内側が、ネジの頭部の下部の周囲を取り囲むように挟み、右側面部の内側および左側面部の内側が、ネジの頭部の側面に当接しているため、ネジの頭部を上部方向から確実に挟み込み、脱落しにくくすることができる。
【００２３】
尚、本考案は、その考案の範囲内において、実施の形態を適宜、変形、省略することが可能である。
【符号の説明】
【００２４】
１  接続用クリップ、２  第一クリップ体、３  第二クリップ体、４  付勢部、
５  第一連結部、６  第二連結部、１０  ネジ、１０ａ  頭部、１０ｂ  下部、
１１  ネジ、１１ａ  頭部、１１ｂ  下部、２０  第一開閉部、２１  第一開口部、
２２  第一下端円弧部、２３  第一上端円弧部、２４  第一右側面部、
２５  第一左側面部、２６  第一右補強部、２７  第一左補強部、３１  第二開口部、
３２  第二下端円弧部、３３  第二上端円弧部、３４  第二右側面部、
３５  第二左側面部、３６  第二右補強部、３７  第二左補強部、１００  端子台、
２００  鰐口クリップ。
【図１】
0003190015.tif 000003
【図２】
0003190015.tif 000004
【図３】
0003190015.tif 000005
【図４】
0003190015.tif 000006
【図５】
0003190015.tif 000007
【図６】
0003190015.tif 000008